(57)【要約】【課題】所定の領域内の１つ以上の場所に関する情報を効率的に収集することの可能な情報収集システム、情報収集方法、プログラムを提供する。【解決手段】本発明の情報収集システムは、所定の領域内の１つ以上の場所に関する情報を収集するものであって、所定の領域内に存在するユーザの所定期間における身体状態に関する情報を取得する身体情報取得手段５１と、所定期間におけるユーザの位置に関する情報を取得する位置情報取得手段５２と、当該位置に関連する提供情報を取得する提供情報取得手段５３と、ユーザの身体状態に関する情報と、ユーザの位置に関する情報と、提供情報と、を対応付けた状態で記憶する記憶手段５５と、を備える。【選択図】図４
2019159714.tif 000002
【特許請求の範囲】
【請求項１】
所定の領域内の１つ以上の場所に関する情報を収集する情報収集システムであって、
前記所定の領域内に存在するユーザの所定期間における身体状態に関する情報を取得する身体情報取得手段と、
前記所定期間における前記ユーザの位置に関する情報を取得する位置情報取得手段と、
前記位置に関連する提供情報を取得する提供情報取得手段と、
前記ユーザの身体状態に関する情報と、前記ユーザの位置に関する情報と、前記提供情報と、を対応付けた状態で記憶する記憶手段と、
を備える情報収集システム。
【請求項２】
前記記憶手段は、第１タイミングにおいて、前記ユーザの身体状態に関する情報と、前記ユーザの位置に関する情報と、を対応付けた状態で記憶し、第１タイミング後の第２タイミングにおいて、前記提供情報が取得されると、前記ユーザの身体状態に関する情報と、前記ユーザの位置に関する情報と、前記提供情報と、を対応付けた状態で記憶する、請求項１に記載の情報収集システム。
【請求項３】
前記身体情報取得手段は、前記ユーザの身体状態に関する情報を、前記ユーザに装着された身体情報検出装置から取得する、請求項１又は２に記載の情報収集システム。
【請求項４】
前記ユーザの身体状態に関する情報に基づいて前記ユーザの行動を推定する推定手段を備え、
前記記憶手段は、前記ユーザの身体状態に関する情報と、前記ユーザの位置に関する情報と、前記提供情報と、前記ユーザの行動に関する情報と、を対応付けた状態で記憶する、請求項１〜３の何れかに記載の情報収集システム。
【請求項５】
前記ユーザの属性に関する情報を取得する属性情報取得手段を備え、
前記記憶手段は、前記ユーザの身体状態に関する情報と、前記ユーザの位置に関する情報と、前記提供情報と、前記ユーザの属性に関する情報と、を対応付けた状態で記憶する、請求項１〜４の何れかに記載の情報収集システム。
【請求項６】
前記記憶手段によって対応付けられた状態で記憶されている情報を所定の装置上で提供する情報提供手段を備える、請求項１〜５の何れかに記載の情報収集システム。
【請求項７】
前記記憶手段によって対応付けられた状態で記憶されている情報の更新情報を取得する更新情報取得手段と、
取得した更新情報に基づいて、対応付けられた状態で記憶されている情報を更新する更新手段と、を備える、請求項１〜６の何れかに記載の情報収集システム。
【請求項８】
コンピュータに、所定の領域内の１つ以上の場所に関する情報を収集させる情報収集方法であって、
前記コンピュータは、
前記所定の領域内に存在するユーザの所定期間における身体状態に関する情報を取得するステップと、
前記所定期間における前記ユーザの位置に関する情報を取得するステップと、
前記位置に関連する提供情報を取得するステップと、
前記ユーザの身体状態に関する情報と、前記ユーザの位置に関する情報と、前記提供情報と、を対応付けた状態で記憶するステップと、
の各ステップを実行する、情報収集方法。
【請求項９】
コンピュータに、所定の領域内の１つ以上の場所に関する情報を収集させるプログラムであって、
前記コンピュータに、
前記所定の領域内に存在するユーザの所定期間における身体状態に関する情報を取得する機能、
前記所定期間における前記ユーザの位置に関する情報を取得する機能、
前記位置に関連する提供情報を取得する機能及び
前記ユーザの身体状態に関する情報と、前記ユーザの位置に関する情報と、前記提供情報と、を対応付けた状態で記憶する機能、
を実現させるためのプログラム。
【発明の詳細な説明】
【技術分野】
【０００１】
本発明は、所定の領域内の１つ以上の場所に関する情報を収集する情報収集システム、情報収集方法、プログラムに関する。
【背景技術】
【０００２】
近年、例えば高齢や障碍等の有無に関わらず誰もが安心して参加できる旅行（ユニバーサルツーリズム）の普及や促進が図られている。かかるユニバーサルツーリズムを実現するためには、例えば旅行者等のユーザの属性（例えば、高齢者や、車椅子や杖の利用者等）に応じて、所定の領域内の移動経路や所定施設（例えば休憩施設）等に関する案内情報をユーザに対して適切に提供する必要がある。
【０００３】
例えば、非特許文献１には、ユーザの属性（例えば車椅子の利用者）及び現在位置に合わせて、歩行空間ネットワークデータにあるバリア（例えば段差等）の情報を検索し、当該バリアを回避する移動経路を案内情報として当該ユーザに提供する技術が開示されている。
【先行技術文献】
【非特許文献】
【０００４】
【非特許文献１】国土交通省、“バリアフリー・ナビプロジェクト（ＩＣＴを活用した歩行者移動支援の推進）”、［online］、［平成３０年２月１５日検索］、インターネット＜ＵＲＬ：http://www.mlit.go.jp/sogoseisaku/soukou/sogoseisaku_soukou_mn_000002.html＞
【発明の概要】
【発明が解決しようとする課題】
【０００５】
ところで、例えばバリアを回避する移動経路や所定施設への案内経路等を適切に提供するためには、常時存在するバリアや所定施設等の場所に関する情報に限られず、一時的に存在するバリア（例えば積雪や凍結等）や所定施設（例えば一時的に設けられた休憩施設やイベント施設等）等の場所に関する情報を効率的に収集する必要がある。
【０００６】
しかしながら、バリアや所定施設等の位置情報のみをバリアや所定施設等の場所に関する情報として設定した場合には、バリアや所定施設等の位置情報の他にその場所に関連する情報が存在しないことから、その位置情報がどのような場所を表しているのか不明確となり、結果として、バリアや所定施設等の場所に関する情報を効率的に収集することができない虞がある。
【０００７】
本発明は上記課題に鑑みてなされたものであり、所定の領域内の１つ以上の場所に関する情報を効率的に収集することの可能な情報収集システム、情報収集方法、プログラムを提供することを目的とする。
【課題を解決するための手段】
【０００８】
上記課題を解決するために、第一に本発明は、所定の領域内の１つ以上の場所に関する情報を収集する情報収集システムであって、前記所定の領域内に存在するユーザの所定期間における身体状態に関する情報を取得する身体情報取得手段と、前記所定期間における前記ユーザの位置に関する情報を取得する位置情報取得手段と、前記位置に関連する提供情報を取得する提供情報取得手段と、前記ユーザの身体状態に関する情報と、前記ユーザの位置に関する情報と、前記提供情報と、を対応付けた状態で記憶する記憶手段と、を備える情報収集システムを提供する（発明１）。
【０００９】
ここで、ユーザの身体状態に関する情報とは、例えば、ユーザの心拍数（脈拍）、血圧、体温、発汗量、歩行速度、又は、姿勢等の値であってもよいし、ユーザの心拍数（脈拍）、血圧、体温、発汗量、歩行速度、姿勢等の何れかの値を所定の計算式に代入することによって得られた値であってもよいし、ユーザの心拍数（脈拍）、血圧、体温、発汗量、歩行速度、姿勢等の何れかの度合いを表す情報であってもよい。なお、ユーザの身体状態に関する情報は、文字データで構成されてもよいし、音声データで構成されてもよいし、画像データで構成されてもよいし、これらの組み合わせで構成されてもよい。
【００１０】
また、ユーザの位置に関する情報とは、例えば、ユーザの現在位置（緯度及び経度であってもよいし、緯度、経度及び高度であってもよい）を表す値であってもよいし、ユーザの現在位置を表す情報（例えば住居表示、地番等）であってもよいし、ユーザの現在位置における気温や湿度等の値であってもよいし、ユーザの現在位置から所定範囲内に存在する通信端末の位置の値であってもよいし、ユーザの現在位置で撮像された画像であってもよいし、ユーザの現在位置の値、当該現在位置における気温や湿度等の値、又は、当該現在位置から所定範囲内に存在する通信端末の位置の値を所定の計算式に代入することによって得られた値であってもよい。なお、ユーザの位置に関する情報は、文字データで構成されてもよいし、音声データで構成されてもよいし、画像データで構成されてもよいし、これらの組み合わせで構成されてもよい。
【００１１】
さらに、ユーザの位置に関連する提供情報とは、ユーザの位置（例えばバリアや所定施設等）に対する当該ユーザ及び／又は当該ユーザの同行者等のコメント、感想、参考情報（例えばユーザの位置周辺の画像等）等であってもよい。なお、提供情報は、文字データで構成されてもよいし、音声データで構成されてもよいし、画像データで構成されてもよいし、これらの組み合わせで構成されてもよい。
【００１２】
かかる発明（発明１）によれば、所定期間におけるユーザの身体状態に関する情報と、所定期間におけるユーザの位置に関する情報と、当該位置に関連する提供情報とを、所定期間においてユーザが存在する場所に関する情報として収集することが可能になる。これにより、例えばユーザがバリアや所定施設等の場所に存在している場合には、バリアや所定施設等の場所に関連する情報を、ユーザの身体状態に関する情報（例えば、移動するのに多くの体力を消費したことを示す情報や、体力が回復したことを示す情報等）と、当該場所に関連する提供情報（例えば、バリアや所定施設等に対するユーザ及び／又はユーザの同行者等のコメント、感想、参考情報等）とを含む状態で収集することができるので、単にバリアや所定施設等の位置情報のみを取得する場合と比較して、バリアや所定施設等の１つ以上の場所に関する情報を効率的に収集することができる。
【００１３】
上記発明（発明１）においては、前記記憶手段は、第１タイミングにおいて、前記ユーザの身体状態に関する情報と、前記ユーザの位置に関する情報と、を対応付けた状態で記憶し、第１タイミング後の第２タイミングにおいて前記提供情報が取得されると、前記ユーザの身体状態に関する情報と、前記ユーザの位置に関する情報と、前記提供情報と、を対応付けた状態で記憶してもよい（発明２）。
【００１４】
かかる発明（発明２）によれば、第１タイミングにおいて、ユーザの身体状態に関する情報と、ユーザの位置に関する情報とを登録（例えば仮登録）し、第１タイミング後の第２タイミングにおいて、提供情報を追加で登録（例えば本登録）することが可能になるので、ユーザ及び／又はユーザの同行者等は、所定期間におけるユーザの位置に関連する情報（例えば、バリアや所定施設等に対するユーザ及び／又はユーザの同行者等のコメント、感想、参考情報等）を所望のタイミングで提供することができる。
【００１５】
上記発明（発明１〜２）においては、前記身体情報取得手段は、前記ユーザの身体状態に関する情報を、前記ユーザに装着された身体情報検出装置から取得してもよい（発明３）。
【００１６】
かかる発明（発明３）によれば、ユーザの身体状態に関する情報を、身体情報検出装置を用いて容易且つ正確に取得することができる。
【００１７】
上記発明（発明１〜３）においては、前記ユーザの身体状態に関する情報に基づいて前記ユーザの行動を推定する推定手段を備え、前記記憶手段は、前記ユーザの身体状態に関する情報と、前記ユーザの位置に関する情報と、前記提供情報と、前記ユーザの行動に関する情報と、を対応付けた状態で記憶してもよい（発明４）。
【００１８】
かかる発明（発明４）によれば、ユーザの身体状態と、ユーザの位置と、当該位置に関連する提供情報と、ユーザの行動内容とを、所定期間においてユーザが存在する場所に関する情報として収集することができるので、例えばバリアや所定施設等の場所に関してさらに具体的な情報を取得することができる。
【００１９】
上記発明（発明１〜４）においては、前記ユーザの属性に関する情報を取得する属性情報取得手段を備え、前記記憶手段は、前記ユーザの身体状態に関する情報と、前記ユーザの位置に関する情報と、前記提供情報と、前記ユーザの属性に関する情報と、を対応付けた状態で記憶してもよい（発明５）。
【００２０】
かかる発明（発明５）によれば、ユーザの身体状態と、ユーザの位置と、当該位置に関連する提供情報と、ユーザの属性とを、所定期間においてユーザが存在する場所に関する情報として収集することができるので、例えばバリアや所定施設等の場所に関してさらに具体的な情報を取得することができる。
【００２１】
上記発明（発明１〜５）においては、前記記憶手段によって対応付けられた状態で記憶されている情報を所定の装置上で提供する情報提供手段を備えてもよい（発明６）。
【００２２】
かかる発明（発明６）によれば、例えば、バリアや所定施設等の場所におけるユーザの身体状態、位置、並びに、当該場所に対するユーザ及び／又はユーザの同行者等のコメント、感想、参考情報等を、所定の装置上で確認することができる。
【００２３】
上記発明（発明１〜６）においては、前記記憶手段によって対応付けられた状態で記憶されている情報の更新情報を取得する更新情報取得手段と、取得した更新情報に基づいて、対応付けられた状態で記憶されている情報を更新する更新手段と、を備えてもよい（発明７）。
【００２４】
かかる発明（発明７）によれば、例えばユーザの身体状態、位置、並びに、ユーザ及び／又はユーザの同行者等のコメント、感想、参考情報等を更新情報に基づいて更新することができるので、収集した場所に関する情報の精度を向上させることができる。
【００２５】
第二に本発明は、コンピュータに、所定の領域内の１つ以上の場所に関する情報を収集させる情報収集方法であって、前記コンピュータは、前記所定の領域内に存在するユーザの所定期間における身体状態に関する情報を取得するステップと、前記所定期間における前記ユーザの位置に関する情報を取得するステップと、前記位置に関連する提供情報を取得するステップと、前記ユーザの身体状態に関する情報と、前記ユーザの位置に関する情報と、前記提供情報と、を対応付けた状態で記憶するステップと、の各ステップを実行する、情報収集方法を提供する（発明８）。
【００２６】
第三に本発明は、コンピュータに、所定の領域内の１つ以上の場所に関する情報を収集させるプログラムであって、前記コンピュータに、前記所定の領域内に存在するユーザの所定期間における身体状態に関する情報を取得する機能、前記所定期間における前記ユーザの位置に関する情報を取得する機能、前記位置に関連する提供情報を取得する機能及び前記ユーザの身体状態に関する情報と、前記ユーザの位置に関する情報と、前記提供情報と、を対応付けた状態で記憶する機能、を実現させるためのプログラムを提供する（発明９）。
【発明の効果】
【００２７】
本発明の情報収集システム、情報収集方法、プログラムによれば、所定の領域内の１つ以上の場所に関する情報を効率的に収集することができる。このため、例えばユニバーサルツーリズムを提供する旅行サービス等に好適に利用することができる。
【図面の簡単な説明】
【００２８】
【図１】本発明の第１実施形態に係る情報収集システムの基本構成を概略的に示す図である。
【図２】通信端末の構成を示すブロック図である。
【図３】情報収集装置の構成を示すブロック図である。
【図４】第１実施形態に係る情報収集システムで主要な役割を果たす機能を説明するための機能ブロック図である。
【図５】行動推定データの構成例を示す図である。
【図６】収集データの構成例を示す図である。
【図７】第１実施形態に係る情報収集システムの主要な処理の一例を示すフローチャートである。
【図８】本発明の第２実施形態に係る情報収集システムで主要な役割を果たす機能を説明するための機能ブロック図である。
【図９】収集データの構成例を示す図である。
【図１０】本発明の第３実施形態に係る情報収集システムで主要な役割を果たす機能を説明するための機能ブロック図である。
【発明を実施するための形態】
【００２９】
（第１実施形態）
以下、本発明の第１実施形態について添付図面を参照して詳細に説明する。ただし、この実施形態は例示であり、本発明はこれに限定されるものではない。
【００３０】
（１）情報収集システムの基本構成
図１は、本発明の第１実施形態に係る情報収集システムの基本構成を概略的に示す図である。図１に示すように、この情報収集システムでは、例えば観光地等の所定の領域Ａ内のユーザ（例えば旅行者等）に装着された身体情報検出装置１０が検出した当該ユーザの身体状態に関する情報と、当該ユーザの同行者（例えば案内人や介助者等）が保持する通信端末２０によって検出された当該ユーザの位置に関する情報と、当該位置に関連する当該ユーザ及び／又は当該同行者の提供情報とを、当該ユーザが存在する場所に関する情報として情報収集装置３０が収集するようになっている。
【００３１】
図１において、通信端末２０と、情報収集装置３０とは、例えばインターネットやＬＡＮ（Local Area Network）等の通信網ＮＷ（ネットワーク）に接続されており、通信網ＮＷを介して相互に通信可能となっている。
【００３２】
身体情報検出装置１０は、例えばユーザの身体に装着可能なウェアラブルデバイスであり、例えばＢｌｕｅｔｏｏｔｈ（登録商標）等の無線通信方式を用いて通信端末２０と無線通信を行うように構成されている。身体情報検出装置１０は、ユーザの身体に装着されている場合に、当該装置１０に設けられた測定装置（例えば、心拍計、血圧計、体温計、発汗計、３軸加速度センサ、角速度センサ等）を用いて、当該ユーザの身体状態（例えば、当該ユーザの心拍数（脈拍）、血圧、体温（例えば、皮膚温）、発汗量、歩行速度、３軸方向の加速度、姿勢、運動強度（例えば、心拍数÷最大心拍数）、消費カロリー等）を連続的又は断続的（例えば、所定間隔（例えば５０ミリ秒や５秒等）毎）に検出する。そして、身体情報検出装置１０は、通信端末２０が通信可能範囲内に存在する場合、ユーザの身体状態を検出する毎に、検出した身体状態に関する情報を通信端末２０に送信する。
【００３３】
なお、ここでは、Ｂｌｕｅｔｏｏｔｈ（登録商標）を用いて無線通信を行う場合を一例として説明しているが、通信方式は、この場合に限られない。例えば、無線ＬＡＮ（例えばＷｉ−Ｆｉ（登録商標））、ＺｉｇＢｅｅ（登録商標）、ＵＷＢ、光無線通信（例えば赤外線）等の無線通信方式が用いられてもよいし、ＵＳＢ等の有線通信方式が用いられてもよい。
【００３４】
通信端末２０は、身体情報検出装置１０との通信可能範囲内に存在する場合に、当該身体情報検出装置１０との間で無線通信を行うことが可能である。また、通信端末２０には、位置測定技術（例えば、ＧＰＳ（Global Positioning System）や、無線ＬＡＮのアクセスポイントの位置情報を利用した位置測定等）を用いて通信端末２０の位置を測定する位置測定モジュール（図示省略）が設けられている。なお、本実施形態では、通信端末２０は、ユーザの身体状態に関する情報を身体情報検出装置１０から受信した場合に、位置測定モジュールを用いて自身の位置を測定するように構成されている。
【００３５】
通信端末２０は、例えば、携帯端末、スマートフォン、ＰＤＡ（Personal Digital Assistant）、パーソナルコンピュータ、双方向の通信機能を備えたテレビジョン受像機（いわゆる多機能型のスマートテレビも含む。）等のように、個々のユーザによって操作される端末装置であってよい。
【００３６】
情報収集装置３０は、通信端末２０が身体情報検出装置１０から受信したユーザの所定期間における身体状態に関する情報と、通信端末２０が測定したユーザの当該所定期間における位置に関する情報と、例えば通信端末２０を用いて入力された当該位置に関連するユーザ及び／又は同行者の提供情報とを、通信網ＮＷを介して通信端末２０から取得すると、ユーザの身体状態に関する情報と、ユーザの位置に関する情報と、ユーザ及び／又は同行者の提供情報とを対応付けた状態で記憶することによって、当該所定期間においてユーザが存在する場所に関する情報として収集するように構成されている。
【００３７】
また、情報収集装置３０は、ユーザの身体状態に関する情報、ユーザの位置に関する情報、並びに、ユーザ及び／又は同行者の提供情報のうち少なくとも１つを、通信端末２０及び／又は領域Ａの外部において通信網ＮＷに接続された端末装置４０上で提供するように構成されている。
【００３８】
端末装置４０は、通信端末２０と同様に、個々のユーザ（例えば旅行者の家族等）によって操作される端末装置であってよい。
【００３９】
（２）通信端末の構成
図２を参照して通信端末２０について説明する。図２は、通信端末２０の内部構成を示すブロック図である。図２に示すように、通信端末２０は、ＣＰＵ（Central Processing Unit）２１と、ＲＯＭ（Read Only Memory）２２と、ＲＡＭ（Random Access Memory）２３と、記憶装置２４と、表示処理部２５と、表示部２６と、入力部２７と、通信インタフェース部２８と、を備えており、各部間の制御信号又はデータ信号を伝送するためのバス２９が設けられている。
【００４０】
ＣＰＵ２１は、電源が通信端末２０に投入されると、ＲＯＭ２２又は記憶装置２４に記憶された各種のプログラムをＲＡＭ２３にロードして実行する。また、ＣＰＵ２１は、身体情報検出装置１０から送信された信号を、通信インタフェース部２８を介して受信し、その信号を解釈する。さらに、ＣＰＵ２１は、ＲＯＭ２２、ＲＡＭ２３又は記憶装置２４に記憶されているデータを、通信インタフェース部２８を介して情報収集装置３０に送信する。さらにまた、ＣＰＵ２１は、情報収集装置３０から送信された信号を、通信インタフェース部２８を介して受信し、その信号を解釈する。
【００４１】
記憶装置２４は、例えば、フラッシュメモリ、ＳＳＤ（Solid State Drive）、磁気記憶装置（例えばＨＤＤ（Hard Disk Drive）、フロッピーディスク（登録商標）、磁気テープ等）、光ディスク等の不揮発性の記憶装置であってもよいし、ＲＡＭ等の揮発性の記憶装置であってもよく、ＣＰＵ２１が実行するプログラムやＣＰＵ２１が参照するデータを格納する。
【００４２】
表示処理部２５は、ＣＰＵ２１から与えられる表示用データを表示部２６に表示する。表示部２６は、例えば、マトリクス状に画素単位で配置された薄膜トランジスタを含むＬＣＤ（Liquid Crystal Display）モニタであり、表示用データに基づいて薄膜トランジスタを駆動することで、表示されるデータを表示画面に表示する。
【００４３】
通信端末２０が釦入力方式の端末装置である場合には、入力部２７は、ユーザの操作入力を受け入れるための方向指示釦及び決定釦等の複数の指示入力釦を含む釦群と、テンキー等の複数の指示入力釦を含む釦群とを備え、各釦の押下（操作）入力を認識してＣＰＵ２１へ出力するためのインタフェース回路を含む。
【００４４】
通信端末２０がタッチパネル入力方式の端末装置である場合には、入力部２７は、主として表示画面に指先又はペンで触れることによるタッチパネル方式の入力を受け付ける。タッチパネル入力方式は、静電容量方式等の公知の方式でよい。
【００４５】
また、通信端末２０が音声入力可能な端末装置である場合には、入力部２７は、音声入力用のマイクを含むように構成されてもよいし、外付けのマイクを介して入力された音声データをＣＰＵ２１へ出力するためのインタフェース回路を備えてもよい。さらに、通信端末２０が動画像及び／又は静止画像を入力可能な端末装置である場合には、入力部２７は、画像入力用のデジタルカメラやデジタルビデオカメラを含むように構成されてもよいし、外付けのデジタルカメラやデジタルビデオカメラで撮像された画像データを受け付けてＣＰＵ２１へ出力するためのインタフェース回路を備えてもよい。
【００４６】
通信インタフェース部２８は、上述した無線通信方式を用いて通信を行うためのインタフェース回路と、通信網ＮＷを介して通信を行うためのインタフェース回路とを含む。ここで、ＣＰＵ２１は、複数の身体情報検出装置１０と通信を行う場合に、受信した身体状態に関する情報を、例えば、当該情報を送信した身体情報検出装置１０の識別情報や当該情報の受信日時等と対応付けた状態で、ＲＡＭ２３又は記憶装置２４に記憶してもよいし、通信インタフェース部２８及び通信網ＮＷを介して情報収集装置３０に送信してもよい。
【００４７】
なお、身体情報検出装置１０の識別情報は、当該身体情報検出装置１０を装着するユーザの識別情報（ユーザＩＤ）として用いられてもよい。また、身体情報検出装置１０の識別情報は、例えば通信端末２０が身体状態に関する情報を身体情報検出装置１０から受信した場合に、当該身体情報検出装置１０から取得可能であってもよい。また、身体状態に関する情報の受信日時は、例えばＣＰＵ２１に内蔵されたタイマ（図示省略）等によって取得されてもよい。
【００４８】
（３）情報収集装置の構成
図３を参照して情報収集装置３０の構成について説明する。図３は、情報収集装置３０の内部構成を示すブロック図である。図３に示すように、情報収集装置３０は、ＣＰＵ３１と、ＲＯＭ３２と、ＲＡＭ３３と、記憶装置３４と、表示処理部３５と、表示部３６と、入力部３７と、通信インタフェース部３８とを備えており、各部間の制御信号又はデータ信号を伝送するためのバス３９が設けられている。情報収集装置３０は、例えば、汎用のパーソナルコンピュータであってよい。
【００４９】
ＣＰＵ３１は、電源が情報収集装置３０に投入されると、ＲＯＭ３２又は記憶装置３４に記憶された各種のプログラムをＲＡＭ３３にロードして実行する。本実施形態では、ＣＰＵ３１は、ＲＯＭ３２又は記憶装置３４に記憶されたプログラムを読み出して実行することにより、後述する身体情報取得手段５１、位置情報取得手段５２、提供情報取得手段５３、推定手段５４、記憶手段５５及び情報提供手段５６（図４に示す）の機能を実現する。
【００５０】
記憶装置３４は、例えば、フラッシュメモリ、ＳＳＤ（Solid State Drive）、磁気記憶装置（例えばＨＤＤ（Hard Disk Drive）、フロッピーディスク（登録商標）、磁気テープ等）、光ディスク等の不揮発性の記憶装置であってもよいし、ＲＡＭ等の揮発性の記憶装置であってもよく、オペレーティングシステム（ＯＳ）やＯＳ上で実行されるプログラムを記憶する。また、記憶装置３４には、後述する行動推定データ（図５に示す）及び収集データ（図６に示す）が記憶されている。
【００５１】
入力部３７は、例えばマウスやキーボード等の情報入力デバイスである。通信インタフェース部３８は、通信網ＮＷを介して通信を行うためのインタフェース回路を含む。情報収集装置３０内の他の各部の詳細は、通信端末２０と同様であってよい。
【００５２】
（４）情報収集システムにおける各機能の概要
本実施形態の情報収集システムで実現される機能について、図４を参照して説明する。図４は、本実施形態に係る情報収集システムで主要な役割を果たす機能を説明するための機能ブロック図である。図４の機能ブロック図では、身体情報取得手段５１、位置情報取得手段５２、提供情報取得手段５３及び記憶手段５５が本発明の主要な構成に対応している。他の手段（推定手段５４、情報提供手段５６）は必ずしも必須の構成ではないが、本発明をさらに好ましくするための構成要素である。
【００５３】
身体情報取得手段５１は、所定の領域Ａ内に存在するユーザの所定期間における身体状態に関する情報を取得する機能を備える。ここで、ユーザの身体状態に関する情報とは、例えば、ユーザの心拍数（脈拍）、血圧、体温（例えば、皮膚温）、発汗量、歩行速度、３軸方向の加速度、運動強度、消費カロリー、又は、姿勢等の値であってもよいし、ユーザの心拍数（脈拍）、血圧、体温、発汗量、歩行速度、３軸方向の加速度、運動強度、消費カロリー、姿勢等の何れかの値を所定の計算式に代入することによって得られた値であってもよいし、ユーザの心拍数（脈拍）、血圧、体温、発汗量、歩行速度、３軸方向の加速度、運動強度、消費カロリー、姿勢等の何れかの度合いを表す情報であってもよい。なお、ユーザの身体状態に関する情報は、文字データで構成されてもよいし、音声データで構成されてもよいし、画像データで構成されてもよいし、これらの組み合わせで構成されてもよい。
【００５４】
また、身体情報取得手段５１は、ユーザの身体状態に関する情報を、当該ユーザに装着された身体情報検出装置１０から取得してもよい。この場合、ユーザの身体状態に関する情報を、身体情報検出装置１０を用いて容易且つ正確に取得することができる。
【００５５】
身体情報取得手段５１の機能は、例えば以下のように実現される。なお、ここでは、身体情報取得手段５１が、ユーザの身体状態に関する情報を身体情報検出装置１０から取得する場合を一例として説明する。
【００５６】
先ず、通信端末２０のＣＰＵ２１は、ユーザに装着された身体情報検出装置１０が通信可能範囲内に存在する場合、身体情報検出装置１０がユーザの身体状態を検出する毎に、身体情報検出装置１０から送信されたユーザの身体状態に関する情報（例えば、心拍数及び進行方向の加速度等）を、通信インタフェース部２８を介して受信する。次に、ＣＰＵ２１は、受信したユーザの身体状態に関する情報を例えばＲＡＭ２３に記憶する。
【００５７】
ここで、例えば、ユーザがバリアや所定施設等の場所に存在している場合に、ユーザの身体状態に関する情報及びユーザの位置に関する情報を情報収集装置３０に登録（記憶）するための指示が入力部２７を用いて入力されると、ＣＰＵ２１は、所定の登録要求（当該指示が入力されたタイミングから所定期間（例えば、数秒〜数十秒）が経過するまでの間に例えばＲＡＭ２３に記憶されたユーザの身体状態に関する情報を含む）を、通信インタフェース部２８を介して情報収集装置３０に送信する。
【００５８】
一方、情報収集装置３０のＣＰＵ３１は、通信端末２０から送信された登録要求を、通信インタフェース部３８を介して受信（取得）すると、受信した登録要求に含まれるユーザの身体状態に関する情報を、例えばＲＡＭ３３又は記憶装置３４に記憶する。このようにして、入力部２７を用いて指示が入力されたタイミングから所定期間におけるユーザの身体情報に関する情報を取得することができる。
【００５９】
位置情報取得手段５２は、所定期間におけるユーザの位置に関する情報を取得する機能を備える。ここで、ユーザの位置に関する情報とは、例えば、ユーザの現在位置（緯度及び経度であってもよいし、緯度、経度及び高度であってもよい）を表す値であってもよいし、ユーザの現在位置を表す情報（例えば住居表示、地番等）であってもよいし、ユーザの現在位置における気温、湿度、暑さ指数（ＷＢＧＴ：Wet-Bulb Globe Temperature）等の値であってもよいし、ユーザの現在位置から所定範囲内に存在する通信端末の位置の値であってもよいし、ユーザの現在位置で撮像された画像であってもよいし、ユーザの現在位置の値、当該現在位置における気温、湿度、暑さ指数等の値、又は、当該現在位置から所定範囲内に存在する通信端末の位置の値を所定の計算式に代入することによって得られた値であってもよい。なお、ユーザの位置に関する情報は、文字データで構成されてもよいし、音声データで構成されてもよいし、画像データで構成されてもよいし、これらの組み合わせで構成されてもよい。
【００６０】
位置情報取得手段５２の機能は、例えば以下のように実現される。なお、ここでは、ユーザの位置に関する情報が、ユーザの現在位置から所定範囲内に存在する通信端末２０の位置（緯度及び経度）の値である場合を一例として説明する。先ず、通信端末２０のＣＰＵ２１は、ユーザの身体状態に関する情報及びユーザの位置に関する情報を情報収集装置３０に登録（記憶）するための指示が入力部２７を用いて入力されると、位置測定モジュールを用いて自身の位置を測定し、測定した位置の値を例えばＲＡＭ２３に記憶する。そして、通信端末２０のＣＰＵ２１は、登録要求（ＲＡＭ２３に記憶された位置の値を含む）を、通信インタフェース部２８を介して情報収集装置３０に送信する。
【００６１】
一方、情報収集装置３０のＣＰＵ３１は、通信端末２０から送信された登録要求を、通信インタフェース部３８を介して受信（取得）すると、受信した登録要求に含まれる位置の値を、例えばＲＡＭ３３又は記憶装置３４に記憶する。このようにして、入力部２７を用いて指示が入力されたタイミングから所定期間におけるユーザの位置に関する情報を取得することができる。
【００６２】
提供情報取得手段５３は、所定期間におけるユーザの位置に関連する提供情報を取得する機能を備える。ここで、ユーザの位置に関連する提供情報とは、ユーザの位置（例えばバリアや所定施設等）に対する当該ユーザ及び／又は当該ユーザの同行者等のコメント、感想、参考情報（例えばユーザの位置周辺の画像等）等であってもよい。なお、提供情報は、文字データで構成されてもよいし、音声データで構成されてもよいし、画像データで構成されてもよいし、これらの組み合わせで構成されてもよい。
【００６３】
提供情報取得手段５３の機能は、例えば以下のように実現される。なお、ここでは、ユーザの身体情報に関する情報及びユーザの位置に関する情報が情報収集装置３０に送信された後に、提供情報が情報収集装置３０に送信される場合を一例として説明する。先ず、通信端末２０のＣＰＵ２１は、ユーザの身体情報に関する情報及びユーザの位置に関する情報が情報収集装置３０に送信された後のタイミングにおいて、ユーザの位置（位置測定モジュールによって測定された位置）に関連するユーザ及び／又は同行者の提供情報（例えば、当該位置に対するユーザ及び／又は同行者のコメント、感想、参考情報等）が入力部２７を用いて入力されると、入力されたユーザ及び／又は同行者の提供情報を例えばＲＡＭ２３に記憶する。そして、通信端末２０のＣＰＵ２１は、ユーザ及び／又は同行者の提供情報を情報収集装置３０に登録（記憶）するための指示が入力部２７を用いて入力されると、登録要求（ＲＡＭ２３に記憶されたユーザ及び／又は同行者の提供情報を含む）を、通信インタフェース部２８を介して情報収集装置３０に送信する。
【００６４】
一方、情報収集装置３０のＣＰＵ３１は、通信端末２０から送信された登録要求を、通信インタフェース部３８を介して受信（取得）すると、受信した登録要求に含まれる情報を、例えばＲＡＭ３３又は記憶装置３４に記憶する。このようにして、所定期間におけるユーザの位置に関連するユーザ及び／又は同行者等の提供情報を取得することができる。
【００６５】
推定手段５４は、ユーザの身体状態に関する情報に基づいて当該ユーザの行動を推定する機能を備える。
【００６６】
推定手段５４の機能は、例えば以下のように実現される。なお、ここでは、身体情報取得手段５１の機能に基づき取得した加速度及び心拍数と、位置情報取得手段５２の機能に基づき取得した位置とを用いて、ユーザの行動を推定する場合を一例として説明する。
【００６７】
情報収集装置３０のＣＰＵ３１は、先ず、記憶装置３４に記憶された行動推定データにアクセスして、身体情報取得手段５１の機能に基づき取得したユーザの身体状態に関する情報（ここでは、進行方向の加速度及び心拍数）に基づいて、ユーザの行動を推定する。行動推定データは、図５に示すように、所定時間（例えば５０ミリ秒）毎の進行方向の加速度と、所定時間（例えば５秒）毎の進行方向の加速度の分散値と、ユーザの移動距離と、ユーザの位置と、心拍数と、の各々に関する条件から推定されるユーザの行動内容に関する情報（図の例では、「転倒」、「乗り物による移動中」、「見学中」、「買物中」、「歩行中」、「食事中」、「休憩中」、「その他静止中」等）が対応付けられた状態で記憶されているデータである。
【００６８】
ここで、図５を参照して、ユーザの進行方向の加速度及び心拍数と、ユーザの位置とを用いて、ユーザの行動内容を推定する方法の一例について説明する。先ず、所定時間（例えば５０ミリ秒）毎の進行方向の加速度が所定値（例えば、−２０Ｇ２）以下又は所定値（例えば、２０Ｇ２）以上の場合、ユーザの行動内容が「転倒」と推定される。また、進行方向の加速度が所定値（例えば、−２０Ｇ２）より大きく且つ所定値（例えば、２０Ｇ２）未満の場合であって、所定時間（例えば５秒）毎の進行方向の加速度の分散値が所定値（例えば、０．０５Ｇ２）より大きい場合には、ユーザが移動しているものと判別され、進行方向の加速度の分散値が所定値（例えば、０．０５Ｇ２）以下の場合には、ユーザが静止しているものと判別される。
【００６９】
ユーザが移動しているものと判別された場合であって、所定時間（例えば、５秒）内のユーザの移動距離が所定値（例えば、２０ｍ）以上の場合には、ユーザの行動内容が「乗り物による移動」と推定される。また、所定時間（例えば、５秒）内のユーザの移動距離が所定値（例えば、２０ｍ）未満の場合であって、ユーザの位置が観光施設から所定範囲（例えば、３０ｍ）以内の場合には、ユーザの行動内容が「見学中」と推定され、ユーザの位置が土産施設から所定範囲（例えば、３０ｍ）以内の場合には、ユーザの行動内容が「買物中」と推定され、ユーザの位置がこれら以外の場合には、ユーザの行動内容が「歩行中」と推定される。
【００７０】
ユーザが静止しているものと判別された場合であって、ユーザの安静時の心拍数に対する当該ユーザの所定時間（例えば、１分間）の平均心拍数の割合が所定範囲（例えば、１．２５以上１．３５以下）の場合には、ユーザの行動内容が「食事中」と推定される。また、ユーザの心拍数が低下している場合、又は、ユーザの安静時の心拍数に対する当該ユーザの所定時間（例えば、１分間）の平均心拍数の割合が所定値（例えば、１．７）より低く、且つ、ユーザの心拍数が安定している場合には、ユーザの行動内容が「休憩中」と推定される。ここで、ユーザの心拍数が低下している場合とは、例えば、所定時間（例えば、１分間）の平均心拍数の時間変化を最小二乗法を用いた回帰直線の傾きで表したときに当該傾きが所定値（例えば、−０．５）以下である場合であってよい。また、ユーザの心拍数が安定している場合とは、例えば、この回帰直線の傾きが所定範囲（例えば、−０．５よりも大きく０．５以下）内である場合であってよい。なお、ユーザの心拍数に関する条件が上記以外の場合には、ユーザの行動内容が「その他静止中」と推定される。
【００７１】
ＣＰＵ３１は、身体情報取得手段５１の機能に基づき取得した加速度及び心拍数と、位置情報取得手段５２の機能に基づき取得した位置とを用いて、行動推定データに記憶された各行動内容の中から対応する行動内容を抽出することによって、ユーザの行動を推定する。そして、ＣＰＵ３１は、抽出した行動内容に関する情報を例えばＲＡＭ３３又は記憶装置３４に記憶する。
【００７２】
なお、ここでは、ユーザの行動内容が、ユーザの身体状態に関する情報と、ユーザの位置に関する情報と、を用いて推定される場合を一例として説明したが、この場合に限られない。例えば、ユーザの行動内容は、ユーザの身体状態に関する情報のみに基づいて推定されてもよいし、ユーザの身体状態に関する情報と、ユーザの位置に関する情報以外の他の情報と、に基づいて推定されてもよい。
【００７３】
記憶手段５５は、ユーザの身体状態に関する情報と、ユーザの位置に関する情報と、ユーザの位置に関連する提供情報と、を対応付けた状態で記憶する機能を備える。
【００７４】
また、記憶手段５５は、第１タイミングにおいて、ユーザの身体状態に関する情報と、ユーザの位置に関する情報と、を対応付けた状態で記憶し、第１タイミング後の第２タイミングにおいてユーザの位置に関連する提供情報が取得されると、ユーザの身体状態に関する情報と、ユーザの位置に関する情報と、ユーザの位置に関連する提供情報と、を対応付けた状態で記憶してもよい。この場合、第１タイミングにおいて、ユーザの身体状態に関する情報と、ユーザの位置に関する情報とを登録（例えば仮登録）し、第１タイミング後の第２タイミングにおいて、ユーザの位置に関連する提供情報を追加で登録（例えば本登録）することが可能になるので、ユーザ及び／又は同行者等は、所定期間におけるユーザの位置に関連する情報（例えば、バリアや所定施設等に対するユーザ及び／又は同行者等のコメント、感想、参考情報等）を所望のタイミングで提供することができる。
【００７５】
また、記憶手段５５は、ユーザの身体状態に関する情報と、ユーザの位置に関する情報と、ユーザの位置に関連する提供情報と、ユーザの行動に関する情報と、を対応付けた状態で記憶してもよい。この場合、ユーザの身体状態と、ユーザの位置と、当該位置に関連する提供情報と、ユーザの行動内容とを、所定期間においてユーザが存在する場所に関する情報として収集することができる。
【００７６】
記憶手段５５の機能は、例えば以下のように実現される。なお、ここでは、記憶手段５５が、第１のタイミングにおいて、ユーザの身体状態に関する情報と、ユーザの位置に関する情報と、ユーザの行動に関する情報と、を対応付けた状態で記憶し、第２のタイミングにおいて、ユーザの位置に関連する提供情報を、ユーザの身体状態に関する情報と、ユーザの位置に関する情報と、ユーザの行動に関する情報と、に対応付けた状態で記憶する場合を一例として説明する。情報収集装置３０のＣＰＵ３１は、先ず、第１のタイミング（例えば、ユーザの身体情報に関する情報及びユーザの位置に関する情報を登録するための登録要求を通信端末２０から受信したタイミング）において、身体情報取得手段５１の機能に基づき取得したユーザの身体状態に関する情報（ここでは、加速度及び心拍数）と、位置情報取得手段５２の機能に基づき取得したユーザの位置に関する情報（ここでは、通信端末２０の緯度及び経度）と、推定手段５４の機能に基づき推定されたユーザの行動内容と、を図６に示す収集データに記憶する。また、情報収集装置３０のＣＰＵ３１は、ユーザの位置に関連するユーザ及び／又は同行者等の提供情報を情報収集装置３０に登録（記憶）するための登録要求を通信端末２０から受信したタイミング（第２のタイミング）において、受信した登録要求に含まれるユーザ及び／又は同行者等の提供情報を、第１のタイミングにおいて収集データに記憶された情報に対応付けた状態で記憶する。
【００７７】
図６に示す収集データは、ユーザＩＤ毎に、ユーザの身体状態に関する情報と、ユーザの現在位置に関する情報と、ユーザの行動内容に関する情報と、ユーザ及び／又は同行者等の提供情報とが対応付けられた状態で記述されたデータである。ここで、ユーザＩＤは、身体情報検出装置１０から送信されたユーザの身体状態に関する情報に含まれる当該身体情報検出装置１０の識別情報であってもよい。また、ユーザ及び／又は同行者等の提供情報は、例えば、バリアや所定施設等の場所についてのユーザ及び／又は同行者等のコメント、感想、参考情報等（図の例では、「急勾配の坂があって歩き難い」、「木陰があるので涼しい」等）が含まれていてもよい。なお、図６では、提供情報が文字データで構成されている場合を一例として示しているが、提供情報は、音声データで構成されていてもよいし、画像データで構成されていてもよい。
【００７８】
ＣＰＵ３１は、通信端末２０から登録要求を受信する毎に、収集データにアクセスして、受信した登録要求に含まれるユーザＩＤと、ユーザの身体情報に関する情報と、ユーザの位置に関する情報と、ユーザの位置に関連する提供情報と、推定手段５４の機能に基づいて推定されたユーザの行動内容に関する情報と、を新たに記憶してもよい。
【００７９】
情報提供手段５６は、記憶手段５５によって対応付けられた状態で記憶されている情報を所定の装置上で提供する機能を備える。これにより、例えばバリアや所定施設等の場所におけるユーザの身体状態、位置、並びに、当該場所に対するユーザ及び／又は同行者等のコメント、感想、参考情報等を、所定の装置上で確認することができる。
【００８０】
情報提供手段５６の機能は、例えば以下のように実現される。先ず、通信端末２０のＣＰＵ２１は、情報収集装置３０に登録（記憶）された収集データを表示部２６に表示するための指示が入力部２７を用いて入力されると、所定の送信要求を、通信インタフェース部２８を介して情報収集装置３０に送信する。
【００８１】
一方、情報収集装置３０のＣＰＵ３１は、通信端末２０から送信された送信要求を、通信インタフェース部３８を介して受信すると、記憶装置３４に記憶された収集データを、通信インタフェース部３８を介して通信装置２０に送信する。
【００８２】
通信端末２０のＣＰＵ２１は、情報取集装置３０から送信された収集データを、通信インタフェース部２８を介して受信すると、受信した収集データを表示部２６に表示させる。この場合、通信端末２０の表示部２６には、収集データに記憶されている全ての場所に関する情報が表示されてもよいし、収集データに記憶されている全ての場所に関する情報のうち入力部２７を用いて選択された場所に関する情報が表示されてもよい。また、ＣＰＵ２１は、例えば収集データが音声データで構成されている場合には、収集データを例えばスピーカ等の音声出力装置から出力させてもよい。
【００８３】
このようにして、記憶手段５５によって対応付けられた状態で記憶されている情報（ここでは、ユーザＩＤ、ユーザの身体情報に関する情報、ユーザの位置に関する情報、ユーザの行動に関する情報、並びに、ユーザ及び／又は同行者等の提供情報）を通信端末２０（所定の装置）上で提供することができる。
【００８４】
なお、ここでは、記憶手段５５によって対応付けられた状態で記憶されている情報を通信端末２０上で提供する場合を一例として説明したが、この場合に限られない。例えば、記憶手段５５によって対応付けられた状態で記憶されている情報を端末装置４０上で提供してもよい。この場合、端末装置４０は、通信端末２０と同様に、所定の送信要求を情報収集装置３０に送信し、情報収集装置３０から受信した収集データを例えばモニタ等の表示装置（図示省略）に表示してもよい。
【００８５】
（５）本実施形態の情報収集システムの主要な処理のフロー
次に、本実施形態の情報収集システムにより行われる主要な処理のフローの一例について、図７のフローチャートを参照して説明する。
【００８６】
先ず、通信端末２０のＣＰＵ２１は、ユーザに装着された身体情報検出装置１０が通信可能範囲内に存在する場合、身体情報検出装置１０がユーザの身体状態を検出する毎に、身体情報検出装置１０から送信されたユーザの身体状態に関する情報（例えば、心拍数及び進行方向の加速度等）を、通信インタフェース部２８を介して受信すると、受信したユーザの身体状態に関する情報を例えばＲＡＭ２３に記憶する。
【００８７】
そして、通信端末２０のＣＰＵ２１は、例えば、ユーザがバリアや所定施設等の場所に存在している場合に、ユーザの身体状態に関する情報及びユーザの位置に関する情報を情報収集装置３０に登録（記憶）するための指示が入力部２７を用いて入力されると、ＣＰＵ２１は、所定の登録要求（当該指示が入力されたタイミングから所定期間（例えば、数秒〜数十秒）が経過するまでの間に例えばＲＡＭ２３に記憶されたユーザの身体状態に関する情報を含む）を、通信インタフェース部２８を介して情報収集装置３０に送信する。
【００８８】
一方、情報収集装置３０のＣＰＵ３１は、通信端末２０から送信された登録要求を、通信インタフェース部３８を介して受信（取得）すると（ステップＳ１００）、受信した登録要求に含まれるユーザの身体状態に関する情報を、例えばＲＡＭ３３又は記憶装置３４に記憶する。このようにして、入力部２７を用いて指示が入力されたタイミングから所定期間におけるユーザの身体情報に関する情報を取得することができる。
【００８９】
また、通信端末２０のＣＰＵ２１は、ユーザの身体状態に関する情報及びユーザの位置に関する情報を情報収集装置３０に登録（記憶）するための指示が入力部２７を用いて入力されると、位置測定モジュールを用いて自身の位置を測定し、測定した位置の値を例えばＲＡＭ２３に記憶する。そして、通信端末２０のＣＰＵ２１は、登録要求（ＲＡＭ２３に記憶された位置の値を含む）を、通信インタフェース部２８を介して情報収集装置３０に送信する。一方、情報収集装置３０のＣＰＵ３１は、通信端末２０から送信された登録要求を、通信インタフェース部３８を介して受信（取得）すると（ステップＳ１０２）、受信した登録要求に含まれる位置の値を、例えばＲＡＭ３３又は記憶装置３４に記憶する。このようにして、入力部２７を用いて指示が入力されたタイミングから所定期間におけるユーザの位置に関する情報を取得することができる。
【００９０】
次いで、情報収集装置３０のＣＰＵ３１は、記憶装置３４に記憶された行動推定データにアクセスして、身体情報取得手段５１の機能に基づき取得したユーザの身体状態に関する情報（ここでは、進行方向の加速度及び心拍数）に基づいて、ユーザの行動を推定する（ステップＳ１０４）。なお、ＣＰＵ３１は、ステップＳ１００にて所得したユーザの身体状態に関する情報と、ステップＳ１０２にて取得したユーザの位置に関する情報とに基づいて、ユーザの行動を推定してもよい。そして、ＣＰＵ３１は、推定された行動内容に関する情報を例えばＲＡＭ３３又は記憶装置３４に記憶する。
【００９１】
次に、情報収集装置３０のＣＰＵ３１は、ユーザの身体状態に関する情報と、ユーザの位置に関する情報と、推定されたユーザの行動に関する情報と、を対応付けた状態で記憶する（ステップＳ１０６）。具体的に説明すると、ＣＰＵ３１は、ステップＳ１００にて取得したユーザの身体状態に関する情報（ここでは、加速度及び心拍数）と、ステップＳ１０２にて取得したユーザの位置に関する情報（ここでは、通信端末２０の緯度及び経度）と、ステップＳ１０４にて推定されたユーザの行動内容と、を収集データに記憶する。
【００９２】
なお、通信端末２０のＣＰＵ２１は、ユーザの位置（位置測定モジュールによって測定された位置）に関連するユーザ及び／又は同行者等の提供情報（例えば、当該位置に対するユーザ及び／又は同行者等のコメント、感想、参考情報等）が入力部２７を用いて入力されると、入力されたユーザ及び／又は同行者等の提供情報を例えばＲＡＭ２３に記憶する。そして、通信端末２０のＣＰＵ２１は、ユーザ及び／又は同行者等の提供情報を情報収集装置３０に登録（記憶）するための指示が入力部２７を用いて入力されると、登録要求（ＲＡＭ２３に記憶されたユーザ及び／又は同行者等の提供情報を含む）を、通信インタフェース部２８を介して情報収集装置３０に送信する。一方、情報収集装置３０のＣＰＵ３１は、通信端末２０から送信された登録要求を、通信インタフェース部３８を介して受信（取得）すると（ステップＳ１０８）、受信した登録要求に含まれる情報を、例えばＲＡＭ３３又は記憶装置３４に記憶する。このようにして、所定期間におけるユーザの位置に関連するユーザ及び／又は同行者等の提供情報を取得することができる。
【００９３】
次に、情報収集装置３０のＣＰＵ３１は、ユーザの身体状態に関する情報と、ユーザの位置に関する情報と、推定されたユーザの行動に関する情報と、ユーザの位置に関連するユーザ及び／又は同行者等の提供情報と、を対応付けた状態で記憶する（ステップＳ１１０）。具体的に説明すると、ＣＰＵ３１は、ステップＳ１０８にて取得したユーザ及び／又は同行者等の提供情報を、ステップＳ１０６にて記憶したユーザの身体情報に関する情報（ここでは、加速度及び心拍数）と、ユーザの位置に関する情報（ここでは、通信端末２０の緯度及び経度）と、ステップＳ１０４にて推定されたユーザの行動内容とに対応付けた状態で収集データに記憶する。
【００９４】
このようにして、所定期間におけるユーザの身体状態に関する情報と、所定期間におけるユーザの位置に関する情報と、ユーザの位置に関連する提供情報とを、所定期間においてユーザが存在する場所（ここでは、バリアや所定施設等）に関する情報として収集することが可能になる。
【００９５】
また、情報収集装置３０のＣＰＵ３１は、ステップＳ１１０にて対応付けられた状態で記憶されている情報を所定の装置上で提供する（ステップＳ１１２）。具体的に説明すると、ＣＰＵ３１は、所定の送信要求を通信端末２０から受信すると、記憶装置３４に記憶された収集データを、通信インタフェース部３８を介して通信装置２０に送信する。一方、通信端末２０のＣＰＵ２１は、情報収集装置３０から送信された収集データを、通信インタフェース部２８を介して受信すると、受信した収集データを表示部２６に表示させる。
【００９６】
上述したように、本実施形態の情報収集システム、情報収集方法、プログラムによれば、所定期間におけるユーザの身体状態に関する情報と、所定期間におけるユーザの位置に関する情報と、当該位置に関連する提供情報とを、所定期間においてユーザが存在する場所（ここでは、バリアや所定施設等）に関する情報として収集することが可能になる。これにより、例えばユーザがバリアや所定施設等の場所に存在している場合には、バリアや所定施設等の場所に関連する情報を、ユーザの身体状態に関する情報（例えば、移動するのに多くの体力を消費したことを示す情報や、体力が回復したことを示す情報等）と、当該場所に関連する提供情報（例えば、バリアや所定施設等に対するユーザ及び／又はユーザの同行者等のコメント、感想、参考情報等）とを含む状態で収集することができるので、単にバリアや所定施設等の位置情報のみを取得する場合と比較して、バリアや所定施設等の１つ以上の場所に関する情報を効率的に収集することができる。
【００９７】
（第２実施形態）
以下、本発明の第２実施形態について説明する。本実施形態の情報収集システム、情報収集方法、プログラムは、図８に示すように、属性情報取得手段５７を備える点において、第１実施形態と異なっている。以下、第１実施形態と異なる構成について説明する。
【００９８】
属性情報取得手段５７は、ユーザの属性に関する情報を取得する機能を備える。属性情報取得手段５７の機能は、例えば以下のように実現される。通信端末２０のＣＰＵ２１は、所定のタイミング（例えば、所定のアプリケーションを起動したタイミング等）において、ユーザの属性（例えば、高齢者、一般、車椅子利用者、介助者等）を入力するための表示データを生成して、表示部２６に表示させてもよい。また、通信端末２０のＣＰＵ２１は、入力部２７を用いてユーザの属性が入力されると、入力されたユーザの属性を例えばＲＡＭ２３に記憶する。そして、通信端末２０のＣＰＵ２１は、ユーザの身体状態に関する情報及びユーザの位置に関する情報を情報収集装置３０に登録（記憶）するための指示が入力部２７を用いて入力されると、上述した所定の登録要求（ＲＡＭ２３に記憶されたユーザの属性を含む）を、通信インタフェース部２８を介して情報収集装置３０に送信する。
【００９９】
一方、情報収集装置３０のＣＰＵ３１は、通信端末２０から送信された登録要求を、通信インタフェース部３８を介して受信（取得）すると、受信した登録要求に含まれるユーザの属性を例えばＲＡＭ３３又は記憶装置３４に記憶する。このようにして、ユーザの属性に関する情報を取得することができる。
【０１００】
本実施形態において、記憶手段５５は、ユーザの身体状態に関する情報と、ユーザの位置に関する情報と、当該位置に関連する提供情報と、ユーザの属性に関する情報と、を対応付けた状態で記憶する機能を備える。
【０１０１】
本実施形態における記憶手段５５の機能は、例えば以下のように実現される。情報収集装置３０のＣＰＵ３１は、属性情報取得手段５７の機能に基づき取得したユーザの属性に関する情報と、身体情報取得手段５１の機能に基づき取得したユーザの身体状態に関する情報（ここでは、加速度及び心拍数）と、位置情報取得手段５２の機能に基づき取得したユーザの位置に関する情報（ここでは、通信端末２０の緯度及び経度）と、提供情報取得手段５３の機能に基づき取得した提供情報と、推定手段５４の機能に基づき推定されたユーザの行動内容と、を図９に示す収集データに記憶する。図９に示す収集データは、ユーザＩＤ毎に、ユーザの属性に関する情報と、ユーザの身体状態に関する情報と、ユーザの現在位置に関する情報と、ユーザの行動内容に関する情報と、ユーザ及び／又は同行者等の提供情報とが対応付けられた状態で記述されたデータである。
【０１０２】
このように、本実施形態に係る情報収集システム、情報収集方法、プログラムによれば、ユーザの身体状態と、ユーザの位置と、当該位置に関連する提供情報と、ユーザの属性とを、所定期間においてユーザが存在する場所に関する情報として収集することができるので、例えばバリアや所定施設等の場所に関してさらに具体的な情報を取得することができる。
【０１０３】
（第３実施形態）
以下、本発明の第３実施形態について説明する。本実施形態の情報収集システム、情報収集方法、プログラムは、図１０に示すように、更新情報取得手段５８と、更新手段５９とを備える点において、上記各実施形態と異なっている。以下、上記各実施形態と異なる構成について説明する。
【０１０４】
更新情報取得手段５８は、記憶手段５５によって対応付けられた状態で記憶されている情報の更新情報を取得する機能を備える。更新情報取得手段５８の機能は、例えば以下のように実現される。通信端末２０のＣＰＵ２１は、例えば、収集データに記憶されている少なくとも１つの場所に関する情報が表示部２６に表示されている場合に、表示されている情報（例えば、各場所に対応するユーザＩＤ、身体状態、現在位置、行動内容及び提供情報）の更新情報（例えば、ユーザの行動内容やユーザ及び／又は同行者等の提供情報の更新情報）を入力するための表示データを生成して、表示部２６に表示させてもよい。また、通信端末２０のＣＰＵ２１は、入力部２７を用いて更新情報が入力されると、入力された更新情報を例えばＲＡＭ２３に記憶する。そして、通信端末２０のＣＰＵ２１は、情報収集装置３０に登録（記憶）されている収集データを更新情報に基づいて更新するための指示が入力部２７を用いて入力されると、所定の更新要求（ＲＡＭ２３に記憶された更新情報を含む）を、通信インタフェース部２８を介して情報収集装置３０に送信する。
【０１０５】
一方、情報収集装置３０のＣＰＵ３１は、通信端末２０から送信された更新要求を、通信インタフェース部３８を介して受信（取得）すると、受信した更新要求に含まれる更新情報を、例えばＲＡＭ３３又は記憶装置３４に記憶する。このようにして、記憶手段５５によって対応付けられた状態で記憶されている情報（例えば、ユーザの行動内容やユーザ及び／又は同行者等の提供情報）の更新情報を取得することができる。
【０１０６】
更新手段５９は、取得した更新情報に基づいて、対応付けられた状態で記憶されている情報を更新する機能を備える。更新手段５９の機能は、例えば以下のように実現される。情報収集装置３０のＣＰＵ３１は、記憶装置３４に記憶された収集データにアクセスし、更新情報取得手段５８の機能に基づいて取得した更新要求に含まれる更新情報を用いて、収集データに記憶されている情報（例えば、ユーザの行動内容やユーザ及び／又は同行者等の提供情報）を更新する。
【０１０７】
このように、本実施形態に係る情報収集システム、情報収集方法、プログラムによれば、例えばユーザの身体状態、位置、並びに、ユーザ及び／又はユーザの同行者等のコメント、感想、参考情報等を更新情報に基づいて更新することができるので、収集した場所に関する情報の精度を向上させることができる。
【０１０８】
なお、本発明のプログラムは、コンピュータで読み取り可能な記憶媒体に記憶されていてもよい。このプログラムを記録した記憶媒体は、図２に示された通信端末２０のＲＯＭ２２、ＲＡＭ２３又は記憶装置２４であってもよいし、図３に示された情報収集装置３０のＲＯＭ３２、ＲＡＭ３３又は記憶装置３４であってもよい。また、例えばＣＤ−ＲＯＭドライブ等のプログラム読取装置に挿入されることで読み取り可能なＣＤ−ＲＯＭ等であってもよい。さらに、記憶媒体は、磁気テープ、カセットテープ、フレキシブルディスク、ＭＯ／ＭＤ／ＤＶＤ等であってもよいし、半導体メモリであってもよい。
【０１０９】
以上説明した各実施形態は、本発明の理解を容易にするために記載されたものであって、本発明を限定するために記載されたものではない。したがって、上記各実施形態に開示された各要素は、本発明の技術的範囲に属する全ての設計変更や均等物をも含む趣旨である。
【０１１０】
例えば、上述した各実施形態では、ユーザの位置に関する情報がユーザの現在位置から所定範囲内に存在する通信端末２０の位置（緯度及び経度）の値である場合を一例として説明したが、ユーザの位置に関する情報には、例えばユーザの現在位置で撮像された画像が含まれてもよい。この場合、ユーザの現在位置で撮像された画像が当該ユーザの位置に関する情報に含まれた状態で収集されるので、例えば、ユーザや通信端末２０の位置（緯度及び経度）の値のみが当該ユーザの位置に関する情報として収集される場合と比較して、ユーザ及び／又は同行者がユーザの位置に関連する提供情報を登録する際に、ユーザの現在位置で撮像された画像を参照することによって、当該ユーザの位置がどのような場所であったかを容易に想起することができる。これにより、ユーザ及び／又は同行者は、例えば、バリアや所定施設等に対するコメント、感想、参考情報等をユーザの位置に関連する提供情報として正確に登録することができる。
【０１１１】
例えば、上述した各実施形態では、ユーザの身体状態に関する情報が、通信端末２０を介して情報収集装置３０に送信される場合を一例として説明したが、例えば、身体情報検出装置１０が通信網ＮＷに接続可能に構成されている場合には、ユーザの身体状態に関する情報が、身体情報検出装置１０から情報収集装置３０に直接送信されてもよい。
【０１１２】
また、上述した各実施形態では、身体情報検出装置１０と、通信端末２０とが個別の装置として設けられている場合を一例として説明したが、例えば、身体情報検出装置１０と通信端末２０とが一体化された装置が設けられていてもよい。例えば、身体情報検出装置１０は、記憶手段５５によって対応付けられた状態で記憶されている情報を、本発明の「所定の装置」の一例として提供してもよい。
【０１１３】
さらに、上述した各実施形態では、通信端末２０に設けられた位置測定モジュールを用いて当該通信端末２０の位置を測定する場合を一例として説明したが、例えば、身体情報検出装置１０に位置測定モジュールを設け、当該身体情報検出装置１０が位置測定モジュールを用いて自身の位置を測定してもよい。この場合、身体情報検出装置１０の位置（つまり、当該身体情報検出装置１０を装着したユーザの位置）を測定することができる。
【０１１４】
さらにまた、上述した各実施形態では、情報収集装置３０のＣＰＵ３１が、ユーザの位置に関する情報を通信端末２０から取得する場合を一例として説明したが、例えば、ユーザの位置に関する情報が通信端末２０の現在位置における温度、湿度、暑さ指数等である場合には、通信網ＮＷに接続された外部装置（例えば気象データを提供可能な装置）にアクセスして、通信端末２０の現在位置における温度、湿度、暑さ指数等に関する情報を取得してもよい。
【０１１５】
また、上述した各実施形態では、ユーザの身体状態に関する情報とユーザの位置に関する情報とが対応付けられた状態で収集データに記憶された後に、ユーザの位置に関連するユーザ及び／又は同行者等の提供情報がこれらの情報に対応付けられた状態で収集データに記憶される場合を一例として説明したが、ユーザの身体状態に関する情報と、ユーザの位置に関する情報と、ユーザ及び／又は同行者等の提供情報とは、同じタイミングにおいて、対応付けられた状態で収集データに記憶されてもよい。
【０１１６】
さらに、上述した各実施形態では、情報収集装置３０によって、身体情報取得手段５１、位置情報取得手段５２、提供情報取得手段５３、推定手段５４、記憶手段５５、情報提供手段５６、属性情報取得手段５７、更新情報取得手段５８及び更新手段５９の各機能を実現する構成としたが、この構成に限られない。これらの全ての手段を身体情報検出装置１０、通信端末２０又は端末装置４０によって実現する構成としてもよいし、少なくとも一部の手段を身体情報検出装置１０通信端末２０又は端末装置４０によって実現する構成としてもよい。
【産業上の利用可能性】
【０１１７】
上述したような本発明の情報収集システム、情報収集方法、プログラムは、所定の領域内の１つ以上の場所に関する情報を効率的に収集することができ、例えばユニバーサルツーリズムを提供する旅行サービス等に好適に利用することができるので、その産業上の利用可能性は極めて大きい。
【符号の説明】
【０１１８】
１０…身体情報検出装置
２０…通信端末
３０…情報収集装置
４０…端末装置
５１…身体情報取得手段
５２…位置情報取得手段
５３…提供情報取得手段
５４…推定手段
５５…記憶手段
５６…情報提供手段
５７…属性情報取得手段
５８…更新情報取得手段
５９…更新手段
【図１】
2019159714.tif 000003
【図２】
2019159714.tif 000004
【図３】
2019159714.tif 000005
【図４】
2019159714.tif 000006
【図５】
2019159714.tif 000007
【図６】
2019159714.tif 000008
【図７】
2019159714.tif 000009
【図８】
2019159714.tif 000010
【図９】
2019159714.tif 000011
【図１０】
2019159714.tif 000012